(57)【要約】【課題】通信サービス側において複雑なシステムを構築をすることなく、特定サービスを簡単でしかも安価に実現することができる携帯情報端末機を提供する。【解決手段】携帯情報端末機に、各種情報を表示する表示手段（２）と、広告情報を記憶する記憶手段（３）と、少なくとも情報送受信前の待受け時に、前記記憶手段に記憶された広告情報を前記表示手段に表示させる表示制御手段（１０）とを備えた。【選択図】　図１
2004056159.tif 000002
【特許請求の範囲】
【請求項１】
各種情報を表示する表示手段と、広告情報を記憶する記憶手段と、少なくとも情報送受信前の待受け時に、前記記憶手段に記憶された広告情報を前記表示手段に表示させる表示制御手段とを備えたことを特徴とする携帯情報端末機。
【請求項２】
前記記憶手段は、情報の書込み及び消去可能とされている請求項１記載の携帯情報端末機。
【請求項３】
通信回線を介して接続された情報提供体からの広告情報を読み込んで前記記憶手段に記憶させる情報入手手段を備えた請求項２記載の携帯情報端末機。
【請求項４】
広告情報は、選挙の投票を促す情報を含むものである請求項１乃至３記載のいずれかに記載の携帯情報端末機。
【発明の詳細な説明】
【０００１】
【発明の属する技術分野】
この発明は、携帯電話機、ＰＨＳ、ポケットベル、カーナビゲーション用端末機等の携帯情報端末機に関する。
【０００２】
【従来の技術】
近年、小型液晶ディスプレイを備えたインターネット機能付きの携帯電話機が普及してきており、この携帯電話機を利用して、液晶ディスプレイに広告情報を表示する代わりに通話料金を低料金にするといった特定サービスが提案されている。
【０００３】
【発明が解決しようとする課題】
上記特定サービスにおいては、サービス加入者がその携帯電話機を使用すると、通信サービス側において、電話機を使用している者がサービス加入者であるかどうかを判断し、加入者であれば広告情報をその携帯電話機に送信し、さらにサービス加入者におけるサービス契約内容を確認し、その内容に応じて通話料金を算出している。この場合、通信サービス側において、このような特定サービスに対応した通話料金を算出する料金算出システムの構築等が必要となり、従来のシステムの全面的改良やインフラストラクチャー整備等に、多額の投資をしなければならなかった。しかし、これでは、通信サービス側の費用負担が大きく、サービス加入者を満足させる料金体制で実現することは不可能であった。
【０００４】
そこで、この発明は、上記不具合を解消して、通信サービス側において複雑なシステムを構築しなくても、特定サービスを簡単でしかも安価に実現することができる携帯情報端末機の提供を目的とする。
【０００５】
【課題を解決するための手段】
上記の課題を解決するため、この発明の情報携帯端末機は、各種情報を表示する表示手段と、広告情報を記憶する記憶手段と、少なくとも情報送受信前の待受け時に、前記記憶手段に記憶された広告情報を前記表示手段に表示させる表示制御手段とを備えている。
【０００６】
また、前記記憶手段は、情報の書込み及び消去可能とされている。さらに、通信回線を介して接続された情報提供体からの広告情報を読み込んで前記記憶手段に記憶させる情報入手手段を備えている。また、広告情報は、選挙の投票を促す情報を含んでいる。
【０００７】
【発明の実施の形態】
以下、この発明の実施形態を図面に基づいて詳細に説明する。この発明の一実施形態に係る携帯情報端末機である携帯電話機は、インターネット機能を備えており、図２に示すように、各種情報の入力する入力手段（１）と、各種情報を表示する表示手段（２）と、各種の広告情報を記憶する記憶手段（３）と、通話機能やインターネット機能等を実行する制御部（４）とを備えている。
【０００８】
入力手段（１）は、複数の入力操作キー（５）（５）…及び回転操作式のダイヤル（６）等からなり、これらを操作して、電話番号やホームページのアドレス番号の情報、Ｅメール用の文字情報等を入力することができる。
【０００９】
表示手段（２）は、小型の液晶ディスプレイからなり、入力手段（１）により入力された情報の他に、記憶手段（３）に記憶されている各種情報を表示する。
【００１０】
記憶手段（３）は、情報の書込み及び消去可能なＲＯＭからなる。この記憶手段（３）には、携帯電話機のメーカーや販社以外の、通信サービス側と契約した会社の広告情報が記憶されている。前記広告情報には、携帯電話機の情報送受信前の待受け時に用いられる待受用広告情報と、そのアクセス時に用いられるアクセス用広告情報がある。
【００１１】
また、前記契約会社としては、選挙管理委員会等の公共機関も含まれ、これら公共機関の広告情報としては、選挙の投票を促すメッセージ等の公示情報が含まれる。尚、前記公示情報にも、待受け用とアクセス用の２種類の広告情報が用意されている。
【００１２】
制御部（４）は、図３に示すように、ＣＰＵ、ＲＡＭ、ＲＯＭを備えたマイクロコンピュータからなり、記憶手段（３）に記憶された各種の広告情報を、使用状態に応じて表示手段（２）に選択的に表示させる表示制御手段（１０）と、通信回線（１１）を介して接続された通信サービス側の情報提供体（１２）から、新たな広告情報を読み込んで記憶手段（３）に記憶させる情報入手手段（１３）とを備えている。そして、表示制御手段（１０）は、情報送受信前の待受け時に、記憶手段（３）に記憶されている待受用広告情報を表示手段（２）に表示し、情報送受信がなされた相手方とのアクセス中に、記憶手段（３）に記憶されているアクセス時用広告情報を表示手段（２）に表示するようになっている。
【００１３】
次に、上記携帯電話機における広告情報の表示動作について説明する。まず、電話機の電源をオン状態にすると（Ｓ１）、情報送受信前の待受け時となる（Ｓ２）。すると、図４に示すように、表示手段（２）に待受用広告情報が表示される（Ｓ３）。なお、通話やインターネット接続等のために、入力手段（１）による入力操作をしている最中も待受け時であって、同様の待受用広告情報が表示される。そして、情報送受信がなされ相手方とアクセス中（例えば、通話中やインターネット接続中）になると（Ｓ４）、図５に示すように、表示手段（２）にアクセス用広告情報が表示される（Ｓ５）。アクセス終了後、待受け時に戻ると（Ｓ２）、再び表示手段（２）に待受用広告情報が表示される（Ｓ３）。
【００１４】
この表示動作においては、契約会社のイメージアップや販売促進等を目的とする広告情報が表示されるようになっているが、このような一般的な広告情報の他に、選挙の投票を促す情報を広告情報として表示すれば、特に携帯電話機の所持率の高い若者に対して、選挙の投票への呼びかけを効果的に行うことができ、投票率のアップに寄与することになる。
【００１５】
また、広告情報の更新に際しては、販売店やサービスショップに携帯電話機を持ち込んで、そこにあるコンピュータから新しい広告情報を記憶手段（３）に記録し直したり、或いは、通信回線（１１）を介して情報提供体（１２）に接続し、この情報提供体（１２）から新しい広告情報を読み込んで記憶手段（３）に記録し直すようにしても良い。このように、広告情報を更新することで、豊富な種類の広告情報を取り扱える。
【００１６】
この発明は、上記実施形態に限定されるものではなく、この発明の範囲内で上記実施形態に多くの修正及び変更を加え得ることは勿論である。例えば、この発明の携帯情報端末機は、携帯電話機に限らず、ポケットベルやカーナビゲーション用端末機等であっても良い。
【００１７】
【発明の効果】
以上の説明から明らかなように、この発明では、携帯情報端末側で自ら広告情報を記憶し、その記憶した広告情報を表示するようになっているので、このような携帯情報端末機を利用する代わりに、基本料金の割引きや、一定金額のキックバック等といった特定サービスを実施すれば、通信サービス側において何ら特別なシステム構築をすることなく、簡単にしかも安価に特定サービスを実現することができる。しかも、広告情報の表示は、情報送受信時だけに限らず、情報送受信時前の待受け時にもなされるので、広告情報を目にする時間が増えて、大きな広告効果を得ることができる。
【００１８】
また、記憶手段は、情報の書込み及び消去可能とされているので、広告情報を更新することができ、タイムリーに広告情報を提供したいという広告提供者側と、変化に富んだ広告情報を受けたいという利用者側と、双方の希望を実現することが出来る。しかも、広告情報は、通信回線を介してを入手することもできるので、機能性に優れた携帯情報端末機を実現することができる。
【００１９】
さらに、広告情報として、選挙の投票を促す情報が含まれていると、投票率の低い若い世代へ効果的に呼びかけることができ、投票率のアップにも寄与することになる。
【図面の簡単な説明】
【図１】この発明の一実施形態にかかる携帯情報端末機における広告情報の表示動作を示すフロー図である。
【図２】同じく、携帯情報端末機を示す図である。
【図３】同じく、携帯情報端末機のシステム構成図である。
【図４】同じく、待受用広告情報が表示された液晶ディスプレイを示す図
【図５】同じく、アクセス用広告情報が表示された液晶ディスプレイを示す図である。
【符号の説明】
（２）　表示手段
（３）　記憶手段
（１０）　表示制御手段
（１１）　通信回線
（１２）　情報提供体
（１３）　情報入手手段
【図１】
2004056159.tif 000003
【図２】
2004056159.tif 000004
【図３】
2004056159.tif 000005
【図４】
2004056159.tif 000006
【図５】
2004056159.tif 000007